【手続補正書】
【提出日】平成22年12月15日(2010.12.15)
【手続補正１】
【補正対象書類名】明細書
【補正対象項目名】０１０９
【補正方法】変更
【補正の内容】
【０１０９】
数値実施例１
単位     ｍｍ
面データ
面番号                  ｒ         ｄ        ｎｄ      νｄ   有効半径
1（絞り)             ∞        0.20                          0.63
2（非球面）         2.540      1.06     1.52559    56.45     0.88
3（非球面）        -1.141      0.19                          1.07
4（非球面）        -0.676      1.07     1.58393    30.21     1.12
5（非球面）        -1.454      0.67                          1.36
6（非球面）         1.721      0.57     1.52559    56.45     2.18
7（非球面）         1.300      0.83                          2.43
8                    ∞        0.50     1.51633    64.14     2.62
9                    ∞        0.30                          2.73
像面                   ∞
非球面係数
第２面
K=-3.173,A4=-1.53303E-02,A6=-5.57102E-02
第３面
K=-1.134,A4=-4.60752E-02,A6=4.54402E-02
第４面
K=-0.774,A4=3.24894E-01,A6=7.49671E-02
第５面
K=-0.296,A4=1.29553E-01,A6=2.03973E-02
第６面
K=-2.275,A4=-3.77809E-02,A6=1.95062E-03
第７面
K=-3.294,A4=-2.18975E-02,A6=-4.93279E-04
各種データ
焦点距離         3.55 
Ｆナンバー        2.8
画角         -38.4°
像高           2.8
レンズ全長        5.2
ＢＦ           1.48
【手続補正２】
【補正対象書類名】明細書
【補正対象項目名】０１１０
【補正方法】変更
【補正の内容】
【０１１０】
数値実施例２
単位     ｍｍ
面データ
面番号                  ｒ         ｄ        ｎｄ      νｄ  有効半径
1（絞り)             ∞        0.20                         0.65
2（非球面）         2.528      1.18     1.52559    56.45    0.90
3（非球面）        -1.254      0.20                         1.09
4（非球面）        -0.739      1.02     1.58393    30.21    1.98
5（非球面）        -1.691      0.63                         1.39
6（非球面）         1.612      0.61     1.58393    30.21    2.06
7（非球面）         1.351      0.86                         2.36
8                    ∞        0.50     1.51633    64.14    2.60
9                    ∞        0.30                         2.71
像面                   ∞
非球面係数
第２面
K=-5.621,A4=1.40251E-02,A6=-5.20761E-02
第３面
K=-0.965,A4=-4.01327E-02
第４面
K=-0.739,A4=1.76074E-01,A6=1.51755E-02
第５面
K=0.067,A4=9.18177E-02,A6=2.68669E-02
第６面
K=-2.207,A4=-4.43963E-02,A6=1.25664E-03
第７面
K=-2.929,A4=-2.72328E-02,A6=-7.55043E-04
各種データ
焦点距離         3.64 
Ｆナンバー        2.8
画角         -37.6°
像高           2.8
レンズ全長        5.3
ＢＦ           1.49
【手続補正３】
【補正対象書類名】明細書
【補正対象項目名】０１１１
【補正方法】変更
【補正の内容】
【０１１１】
数値実施例３
単位     ｍｍ
面データ
面番号                  ｒ         ｄ        ｎｄ      νｄ  有効半径
1（絞り)             ∞        0.20                         0.67
2（非球面）         3.315      1.15     1.53071    55.69    0.86
3（非球面）        -1.512      0.42                         1.12
4（非球面）        -0.760      0.88     1.58393    30.21    1.15
5（非球面）        -1.466      0.50                         1.38
6（非球面）         2.626      1.11     1.53071    55.69    1.94
7（非球面）         2.216      0.79                         2.43
8                    ∞        0.30     1.51633    64.14    2.64
9                    ∞        0.30                         2.70
像面                   ∞
非球面係数
第２面
K=-1.840,A4=-4.59100E-02,A6=-3.05100E-02,A8=-7.12400E-02
第３面
K=-1.218,A4=-7.36900E-02,A6=-2.97600E-02,A8=3.09400E-02,A10=-2.59300E-02
第４面
K=-0.926,A4=1.49100E-01,A6=1.07400E-01,A8=-8.17500E-02,A10=2.31100E-02
第５面
K=-0.490,A4=7.28800E-02,A6=5.67100E-02,A8=-1.36400E-02,A10=8.56100E-04
第６面
K=-7.093,A4=-2.29700E-02,A6=-6.43000E-04,A8=1.18900E-03,A10=-2.30700E-04
第７面
K=-1.369,A4=-6.13500E-02,A6=9.18900E-03,A8=-7.47900E-04,A10=-2.48600E-06
各種データ
焦点距離         3.73 
Ｆナンバー        2.8
画角         -36.8°
像高           2.8
レンズ全長        5.5
ＢＦ           1.28
【手続補正４】
【補正対象書類名】明細書
【補正対象項目名】０１１２
【補正方法】変更
【補正の内容】
【０１１２】
数値実施例４
単位     ｍｍ
面データ
面番号                  ｒ         ｄ        ｎｄ      νｄ  有効半径
1（絞り)             ∞        0.10                         0.68
2（非球面）         3.076      1.11     1.53071    55.69    0.80
3（非球面）        -1.651      0.42                         1.05
4（非球面）        -0.838      0.80     1.63259    23.27    1.10
5（非球面）        -1.568      0.40                         1.30
6（非球面）         3.271      1.39     1.53071    55.69    1.67
7（非球面）         2.771      0.74                         2.38
8                    ∞        0.30     1.51633    64.14    2.66
9                    ∞        0.30                         2.72
像面                   ∞
非球面係数
第２面
K=-1.561,A4=-4.45188E-02,A6=-2.78685E-02,A8=-4.80497E-02
第３面
K=-1.110,A4=-7.35754E-02,A6=-2.18139E-03,A8=8.64574E-03,A10=-1.50468E-02
第４面
K=-0.906,A4=1.40870E-01,A6=1.10717E-01,A8=-7.36659E-02,A10=1.76769E-02
第５面
K=-0.424,A4=6.85954E-02,A6=5.20628E-02,A8=-1.17039E-02,A10=1.12392E-03
第６面
K=-15.009,A4=-1.96223E-02,A6=-7.60260E-03,A8=3.02406E-03,A10=-7.56075E-04
第７面
K=-2.040,A4=-4.50247E-02,A6=6.82918E-03,A8=-1.05009E-03,A10=3.98509E-05
各種データ
焦点距離         3.77 
Ｆナンバー        2.8
画角         -36.8°
像高           2.8
レンズ全長        5.5
ＢＦ           1.23
【手続補正５】
【補正対象書類名】明細書
【補正対象項目名】０１１３
【補正方法】変更
【補正の内容】
【０１１３】
数値実施例５
単位     ｍｍ
面データ
面番号                  ｒ         ｄ        ｎｄ      νｄ  有効半径
1（絞り)             ∞        0.20                         0.67
2（非球面）         3.324      1.01     1.53071    55.69    0.85
3（非球面）        -1.674      0.54                         1.08
4（非球面）        -0.757      0.66     1.63493    23.90    1.18
5（非球面）        -1.327      0.30                         1.30
6（非球面）         3.358      1.50     1.53071    55.69    1.71
7（非球面）         2.819      0.49                         2.41
8                    ∞        0.55     1.51633    64.14    2.59
9                    ∞        0.30                         2.69
像面                   ∞
非球面係数
第２面
K=-5.092,A4=-5.50591E-02,A6=-5.09238E-02,A8=-7.58536E-02
第３面
K=-0.576,A4=-8.24414E-02,A6=-4.45512E-02,A8=5.35929E-02,A10=-3.84535E-02
第４面
K=-1.012,A4=1.68277E-01,A6=1.10237E-01,A8=-6.94271E-02,A10=1.40257E-02
第５面
K=-0.990,A4=1.04031E-01,A6=5.26561E-02,A8=-1.30418E-02
第６面
K=-17.986,A4=1.55583E-02,A6=-3.08028E-02,A8=1.16072E-02,A10=-1.74421E-03
第７面
K=-11.416,A4=1.13495E-03,A6=-9.12222E-03,A8=1.80868E-03,A10=-1.45708E-04
各種データ
焦点距離         3.71 
Ｆナンバー        2.8
画角         -37.3°
像高           2.8
レンズ全長        5.3
ＢＦ           1.15
【手続補正６】
【補正対象書類名】明細書
【補正対象項目名】０１１４
【補正方法】変更
【補正の内容】
【０１１４】
数値実施例６
単位     ｍｍ
面データ
面番号                  ｒ         ｄ        ｎｄ      νｄ   有効半径
1（絞り)             ∞        0.30                          0.64
2（非球面）         2.745      1.25     1.53071    55.69     0.96
3（非球面）        -2.086      0.28                          1.23
4（非球面）        -0.972      0.62     1.63493    23.90     1.28
5（非球面）        -1.600      0.29                          1.32
6（非球面）         1.711      0.96     1.53071    55.69     1.63
7（非球面）         1.307      0.80                          2.19
8                    ∞        0.55     1.51633    64.14     2.38
9                    ∞        0.30                          2.59
像面                   ∞
非球面係数
第２面
K=-5.000,A4=-3.65347E-03,A6=-2.48862E-02,A8=-2.20502E-02
第３面
K=-5.000,A4=-9.48178E-02,A6=-4.58479E-03
第４面
K=-2.831,A4=2.18773E-02,A6=2.63702E-02
第５面
K=-0.910,A4=1.05916E-01,A6=1.59999E-02,A8=6.98342E-04
第６面
K=-5.000,A4=-5.52400E-02,A6=3.02948E-03
第７面
K=-3.786,A4=-3.16572E-02,A6=4.68703E-03,A8=-4.22895E-04
各種データ
焦点距離         3.59 
Ｆナンバー        2.8
画角         -37.7°
像高           2.8
レンズ全長        5.1
ＢＦ           1.47
【手続補正７】
【補正対象書類名】明細書
【補正対象項目名】０１１５
【補正方法】変更
【補正の内容】
【０１１５】
数値実施例７
単位     ｍｍ
面データ
面番号                  ｒ         ｄ        ｎｄ      νｄ  有効半径
1（絞り)             ∞        0.24                         0.62
2（非球面）         2.323      0.94     1.52559    56.45    0.92
3（非球面）        -1.684      0.25                         1.09
4（非球面）        -0.771      0.48     1.58393    30.21    1.19
5（非球面）        -1.418      0.71                         1.18
6（非球面）         1.647      0.65     1.52559    56.45    1.93
7（非球面）         1.420      0.50                         2.25
8                    ∞        0.50     1.51633    64.14    2.47
9                    ∞        0.54                         2.61
像面                   ∞
非球面係数
第２面
K=1.373,A4=-6.48922E-02,A6=-7.14622E-02,A8=-3.64287E-02,A10=6.17409E-02
第３面
K=0.000,A4=-4.68358E-02,A6=2.92909E-02,A8=2.90073E-02,A10=-8.75951E-03
第４面
K=-1.002,A4=4.06561E-01,A6=-1.21298E-02,A8=-2.79473E-02,A10=3.67448E-03
第５面
K=-0.959,A4=2.53800E-01,A6=6.85022E-02,A8=-5.74446E-02,A10=1.15390E-02
第６面
K=-5.072,A4=-2.83124E-02,A6=-1.16295E-02,A8=3.75786E-03,A10=-3.02246E-04
第７面
K=-4.453,A4=-2.25374E-02,A6=-7.90523E-03,A8=2.04710E-03,A10=-1.94628E-04
各種データ
焦点距離         3.48 
Ｆナンバー        2.8
画角         -38.8°
像高           2.8
レンズ全長        4.6
ＢＦ           1.37